(57)【特許請求の範囲】
【請求項１】
脚の上端に設けた上向き開口箱状の座受け体と、座受け体の上面を塞ぐカバーと、前記座受け体の前部に左右長手の第１軸によって取付けられた座部と、前記座受け体に左右長手の第２軸によって後傾動自在に取付けられた背支持体と、この背支持体に取付けた背もたれとを備えており、前記座部と前記背支持体とを第３軸によって連結して成り、
前記座部が、背支持体に連結されていない状態で大きく跳ね上げ回動させ得る状態で座受け体に取付けられていることを特徴とする椅子。
【請求項２】
前記背支持体は、前記第２軸及び第３軸の一端部と他端部とにそれぞれ左右外側から嵌まる左右一対の前部フレームと、左右前部アームに後方から嵌まることによって当該左右前部フレームを第２軸及び第３軸から抜け不能に保持する後部フレームとに分離構成されていることを特徴とする請求項１に記載した椅子。
【発明の詳細な説明】
【０００１】
【発明の属する技術分野】
本発明は、椅子の構造に関するものである。
【０００２】
【従来の技術】
椅子の一形態として、背もたれの後傾動に連動して座部が後傾及び／又は後退動するように構成したシンクロ機構と言われるものがある。
【０００３】
このシンクロタイプの椅子では、脚の上端に上向き開口箱状の座受け体を取付けて、この座受け体の前部に座部を左右長手の第１軸によって取付け、更に、前記座受け体に、背もたれが取付く背支持体を左右長手の第２軸によって後傾動自在に取付け、更に、背支持体と座部とを、左右長手の第３軸によって連結しており、座受け体の内部に、背もたれの後傾動を弾性的に支持するばね等の部材を内蔵している。
【０００４】
【発明が解決しようとする課題】
このシンクロタイプの椅子では、座部の後傾動及び又は／後退動を許容するために、座受け体と座部との間に隙間が空いており、このため、座受け体と座部との間の隙間に人が手を差し込んで怪我をする虞がある。この点は座受け体にカバーを取付けることによって解消できるが、座部を所定の姿勢で取付けてしまうとカバーの取付けが著しく厄介であり、さりとて先に座受け体にカバーを取付けてしまうと座部の取付けが困難になる。
【０００５】
本発明は、このような実情を改善することを目的とするものである。
【０００６】
【課題を解決するための手段】
本発明は、脚の上端に設けた上向き開口箱状の座受け体と、座受け体の上面を塞ぐカバーと、前記座受け体の前部に左右長手の第１軸によって取付けられた座部と、前記座受け体に左右長手の第２軸によって後傾動自在に取付けられた背支持体と、この背支持体に取付けた背もたれとを備えており、前記座部と前記背支持体とを第３軸によって連結して成る椅子において、前記座部が、背支持体に連結されていない状態で大きく跳ね上げ回動させ得る状態で座受け体に取付けられていることを特徴とする。
【０００７】
また、請求項２の発明では、前記背支持体は、前記第２軸及び第３軸の一端部と他端部とにそれぞれ左右外側から嵌まる左右一対の前部フレームと、左右前部アームに後方から嵌まることによって当該左右前部フレームを第２軸及び第３軸から抜け不能に保持する後部フレームとに分離構成されている。
【０００８】
【発明の作用・効果】
本発明の構成にすると、椅子を組立てる手順としては、先ず、座部を第１軸によって座受け体に取付けてから、座部を跳ね上げ回動させた状態で座受け体にばね等の部材を取付け、次いで、座受け体にカバーを取付けてから、背支持体の取付けや座部と背支持体との連結を行えば良い。このため、座部及び背支持体の取付けの容易性を損なうことなく、座受け体に各種部材やカバーを容易に取付けることができる。従って、座受け体の上面をカバーで覆った安全な椅子でありながら容易に組み立てることができる。
【０００９】
特に、請求項２のように構成すると、第２軸を座受け体に挿通すると共に座部に第３軸を挿通してから、背支持体を構成する左右前部フレームを第２軸と第３軸との端部に左右外側から嵌め込み、次いで、左右の前部フレームに後部フレームを後方から嵌め込むという手順により、前部フレーム及び第２、第３軸を抜け不能に保持することができ、第２軸及び第３軸に抜け止めのスナップリング等を一々取付ける必要がないため、組立の手間をより軽減することができる。
【００１０】
【発明の実施形態】
次に、本発明の実施形態を図１〜図１１に基づいて説明する。
【００１１】
図１は椅子の正面図、図２は椅子の右側面図である。椅子は、平面視で放射状に延びる枝杆を備えた脚１と、脚１に取付けた支柱（ガスシリンダ）２と、支柱２の上端に固着した座受け体３と、座受け体３に後傾動及び後退動自在に取付けた座部４と、座受け体３に後傾動自在に取り付けた背支持体５と、この背支持体５に取付けた背もたれ６とを備えている。
【００１２】
更に、座受け体３の右側面からは、当該座受け体３の高さを調節するためにガスシリンダ２を操作する昇降用レバー７を横向きに突設しており、座受け体３の左側面からは、背もたれ５をフリー状態とロック状態とに切り換えるためのロック用レバー８を設けている。また、座受け体３の下面には、背もたれ６のロッキング抵抗を調節するための撮み９を設けている。以下、各部位の詳細を図３以下の図面を参照して説明する。
【００１３】
図３は座部４を省略した状態での平面図、図４（Ａ）は図３のIV−IV視断面図、図５は内部構造を省略した状態での図４の縦断正面図であり、これらの図に示すように、座受け体３は上向きに開口した箱状に形成されている。座受け体３における左右側板３ａの前部には、側面視で後傾状に延びる長穴１０を形成し、この長穴１０に装着したブッシュ１１に第１軸１２を挿通している。
【００１４】
他方、座部４は、金属板製のベース板１３と、このベース板１３の左右両側部に取付けた合成樹脂製のホルダー１４と、ホルダー１４に取付けられた座板１５と、座板１５に重ねて設けたクッション１６とから成っており、ベース板１３の前部に折曲げ形成した左右一対の前ブラケット片１３ａを第１軸１２に挿通している。この場合、座部４が第１軸１２を中心に手前に大きく跳ね上げ回動し得るように、ベース板１３と座受け体３ムとの間に隙間を空けている。
【００１５】
例えば図４に示すように、前記背支持体５は、その前部を構成する左右一対の前部フレーム１８と、後部を構成する一つの後部フレーム１９とに分離構成されており、後部フレーム１９は横バー２０で連結されて一体化されている。そして、座受け体３における左右側板３ａの後部寄り箇所に第２軸２１を挿通し、この第２軸２１にそれぞれ前部フレーム１８の前端部を左右外側から嵌め込んでいる。
【００１６】
また、前記ベース板１３の後部に形成した左右一対の後ブラケット片１３ｂに第３軸２２を挿通し、この第３軸２２の一端と他端とに、前記前部フレーム１８の後部に設けた軸受け部１８ａを左右外側から嵌め入れている。更に、左右の前部フレーム１８には後ろ向きに開口した穴２３が空いており、この穴２３に後部フレーム１９の前部を挿入している。従って、左右の前部フレーム１８は第２軸２１及び第３軸２２から抜け不能に保持されている。
【００１７】
背支持体５における後部フレーム１９の後部は上向きに立ち上がており、この後部に背もたれ６を上方から込んでいる。背支持体５の後部フレーム１９は、互いに重ね合わせた一対のカバー２４で覆われている（図２も参照）。
【００１８】
座受け体３の後部には、第２軸２１を覆うような状態の蓋板２５が溶接によって固着されており、この蓋板２５の前部に、側面視で前傾状に傾斜した支持部２５ａを折曲げ形成している。蓋板２５と第１軸１２との間にはコイルばね２６が配置されており、コイルばね４６の前端は、第１軸１２に嵌まった前ばね受け２７で支持されている一方、コイルばね２６の後端は、後ばね受け２８で支持されている。
【００１９】
後ばね受け２８の後面は蓋板２５の支持部２５ａの対称状の傾斜面になっており、これら蓋板２５の支持部２５ａと後ばね受け２８との間にはくさび部材２９を配置し、くさび部材２９に、前記した調節撮み９に嵌着したボルト３０を下方からねじ込んでいる。図３に示すように、座受け体３のうちコイルばね２６を挟んだ右側には、コイルばね２６を補助して背もたれ６の後傾動を弾性的に支持するため、ゴム等の軟質弾性体３１を配置している。
【００２０】
更に、座受け体３には、その上面を覆う合成樹脂製のカバー３２を着脱自在に装着しており、図６はカバー３２のみの平面形状を示し、図７では断面を示している。カバー３２は座受け体３に被さるように周壁を備えており、図４（Ｂ）（Ｃ）に明示するように、カバー３２の前部内側面と後部内側面にそれぞれ爪３３を設け、これらの爪３３を、座受け体３の前端と後端とに設けた係合穴３４に嵌め入れている。
【００２１】
図３に示すように、座受け体３の内部のうちコイルばね２６を挟んだ左側の部位には、背もたれ６を傾動自在なフリー状態と傾動不能なロック状態とに切り換えるためのロック装置３５を設けているが、本発明との関連はないので説明は省略する。
【００２２】
上述の説明から容易に理解できるように、着座した人が背もたれ６にもたれかかると、背もたれ６は第２軸２１を中心にして後傾動し、かつ、座部４は若干の寸法だけ後傾しつつ緩く後退動する。
【００２３】
次に、椅子の組立手順を図８〜図１１に基づいて説明する。組立に当たっては、座部４は予め全体を組立ておき、これを、第１軸１２によって座受け体３に取付け、それから、座部４を手前側に大きく跳ね上げ回動させた状態で、座受け体３の内部にコイルばね２６やロック装置３５等の各種の部材を取付ける（第１軸１２と関連していない部材は、座部４を取付ける前に座受け体３に取付けておいたら良い）。
【００２４】
次いで、座受け体３ムにカバー３２を装着し、次いで、座受け体３ムに第２軸２１を挿通すると共に座部４に第３軸２２を挿通し、それから、図９に示すように座部４を後方に倒して、図１０に示すように、第２軸２１と第３軸２２とに背支持体５の前部フレーム１８を左右横方向から嵌め込み、それから、図１１に示すように、左右の前部フレーム１８に後部フレーム１９を後方から嵌め込む。そして、背もたれ６を背支持体５に取付け、最後にカバー３２を取付ける。なお、予め後部フレーム１９に背もたれ６を取付けておくことも可能である。
【００２５】
以上の説明から容易に理解できるように、座部４が第１軸１２を中心に大きく跳ね上げ回動されることと、背支持体５が左右の前部フレーム１８と一つの後部フレーム１９とに分離されていることが相俟って、椅子の組立をしごく容易に行える。
【００２６】
上記の実施形態は第３軸２２が座受け体３から完全に離反しているが、第３軸２２は、座受け体３に形成した円弧状のガイド穴に挿入しても良い。また、本発明は、座部４が後傾のみするタイプにも適用できる。
【００２７】
図１２〜図１４では、ロッキング抵抗調節用撮み９の構造を詳細に示している。すなわち、図１２は下方から見た斜視図、図１３（Ａ）は底面図、図１３（Ｂ）は平面図、図１４はボルト３０と分離した状態での断面図である。
【００２８】
本実施形態の撮みお特徴の一つは、外周面と上面との連設部３７を傾斜させている点（或いは面取りしている点）で、これにより、人は撮み９をしっかりと握って回転させることができる。他の特徴は、下向きに開口させて、補強のために中空部内に環状リブ３８と放射状リブ３９とを設けている点である。
【００２９】
外周面と上面との連設部３７は、人の指が違和感なく当たるためには穴が空いているのは好ましくない。このため、撮み９を下向きに開口した断面形状とすることにより、射出成形法によって成形できるようにしている。なお、撮み９が下向きに開口していてもその開口状態は人目に触れないため、美感の問題はない。
【００３０】
撮み９の上面には長穴４０が空いており、この長穴４０に、ボルト３０に一体に設けたボス部４１を嵌着している。なお、図１４に示す符号４２は抜け止め用の環状溝、符号４３は環状突起である。
【００３１】
図１５〜図１６では肘当て４５の取付け構造を示している。図１５は正面図、図１６は側面図、図１７は取付け状態を示す概念図である。
【００３２】
肘当て４５は、座部４のベース板１３にねじ４６で固定された支持部４７と、これに上下動自在に装着した受け部４８とから成っている。符号４９は受け部４８の高さを調節するための操作ボタンである。受け部４８は左右で形態が異なっているが、少し似ているため、誤って左右逆に取付けてしまうことがある。そこで、従来は、左右の支持部４７を別々に製造して、取付け穴の配置を非対称とすることにより、左右の支持部４７を誤るとねじ４６を挿入できないようにしている。しかし、これでは支持部４７を別々に製造しなければならないため、コストが嵩むという問題がある。
【００３３】
そこで、本例では、支持部４７を前後対称の形状に形成すると共に、取付け穴５０の個数と配置とを、前後対称で上下対称となるように複数対（２対）設けることにより、左右の支持部４７を共通化する一方、ベース板１３における左右両側のねじ穴５１は前後非対称に配置し、左右のねじ穴５１の配置に適合するように、支持部４７における一つの取付け穴５０をプラグ５２で塞ぐことにより、左右の支持部４７を誤って取付けることを防止している（左右を誤ると、１本のねじ４６をねじ込みできないため、誤りに気づく）。
【図面の簡単な説明】
【図１】本実施形態に係る椅子の正面図である。
【図２】椅子の右側面図である。
【図３】座部を省略した状態での平面図である。
【図４】（Ａ）は図３のIV−IV視断面図、（Ｂ）（Ｃ）はそれぞれ（Ａ）の部分拡大図である。
である。
【図５】図４（Ａ）の縦断正面図である。
【図６】座受け体用カバーの平面図である。
【図７】図６の VII-VII視断面図である。
【図８】組立工程を示す図である。
【図９】組立工程を示す図である。
【図１０】組立工程を示す図である。
【図１１】組立工程を示す図である。
【図１２】ロッキング抵抗調節用の撮みを下方から見た斜視図である。
【図１３】（Ａ）は撮みの底面図、（Ｂ）は撮みの平面図である。
【図１４】撮みとボルトと分離した状態での断面図である。
【図１５】ひじ当てを取付けた椅子の正面図である。
【図１６】ひじ当てを取付けた椅子の側面図である。
【図１７】ひじ当ての取付け原理を示す図である。
【符号の説明】
２  脚支柱
３  座受け体
４  座部
５  背支持体
６  背もたれ
１２  第１軸
１３  ベース板
１８  前部フレーム
１９  後部フレーム
２１  第２軸
２２  第３軸
３２  座受け体用のカバー
【図１】
0003644529.tif 000002
【図２】
0003644529.tif 000003
【図３】
0003644529.tif 000004
【図４】
0003644529.tif 000005
【図５】
0003644529.tif 000006
【図６】
0003644529.tif 000007
【図７】
0003644529.tif 000008
【図８】
0003644529.tif 000009
【図９】
0003644529.tif 000010
【図１０】
0003644529.tif 000011
【図１１】
0003644529.tif 000012
【図１２】
0003644529.tif 000013
【図１３】
0003644529.tif 000014
【図１４】
0003644529.tif 000015
【図１５】
0003644529.tif 000016
【図１６】
0003644529.tif 000017
【図１７】
0003644529.tif 000018